(57)【要約】【課題】水の誘引作用（粘性）によって浴水を排水孔から効率良く排水させることで、排水溝等での残水の発生を低減できるようにした下枠の排水構造を提供する。【解決手段】隣室Ｂに連通する浴室Ａの出入口に該出入口を開閉するドア１３を装着するドア枠を配設する。ドア枠の下枠１に、下枠１の上面の浴水が流入する排水溝２をその長手方向に沿って設ける。排水溝２内に流入した浴水を排水させる排水孔３を排水溝２の溝底２ａに穿孔する。排水溝２の溝底２ａに対して略平行な突片４を、排水溝２の溝壁２ｂにおける溝底２ａ近傍の部位から排水溝２内方に向け且つ排水溝２の長手方向に亙って突設する。突片４と排水溝２の溝底２ａとの間に形成された隙間にて、排水溝２内に流入した浴水を水の誘引作用によって集水させる排水溝集水部５を構成する。【選択図】        図１
2004293124.tif 000002
【特許請求の範囲】
【請求項１】
隣室に連通する浴室の出入口に該出入口を開閉するドアを装着するドア枠を配設し、このドア枠の下枠に、下枠の上面の浴水が流入する排水溝をその長手方向に沿って設け、排水溝内に流入した浴水を排水させる排水孔を排水溝の溝底に穿孔し、排水溝の溝底に対して略平行な突片を、排水溝の溝壁における溝底近傍の部位から排水溝内方に向け且つ排水溝の長手方向に亙って突設し、この突片と排水溝の溝底との間に形成された隙間にて、排水溝内に流入した浴水を水の誘引作用によって集水させる排水溝集水部を構成したことを特徴とする下枠の排水構造。
【請求項２】
排水溝上方の下枠の上面を越えた浴水が流入する集水溝を排水溝に並設し、集水溝の溝深さを排水溝よりも浅く形成すると共に集水溝の溝底に排水溝に向って傾斜する水勾配を設け、集水溝と排水溝とを仕切る仕切壁における集水溝の溝底近傍の部位から、集水溝の溝底に対して略平行な突片を集水溝内方に向け且つ集水溝の長手方向に亙って突設し、この突片と集水溝の溝底との間に形成された隙間にて、集水溝内に流入した浴水を水の誘引作用によって集水させる集水溝集水部を構成し、この集水溝集水部と排水溝とを連通させて集水溝集水部に集水した浴水を水の誘引作用によって排水溝内に流れ落す通水部材を仕切壁に装着したことを特徴とする請求項１記載の下枠の排水構造。
【請求項３】
排水孔に付設したヘアーキャッチャーに、排水溝集水部に先端を至らしめた導水用突片と、上記導水用突片に伝う水を排水孔に至らせるための切欠口とを設けたことを特徴とする請求項１記載の下枠の排水構造。
【発明の詳細な説明】
【０００１】
【発明の属する技術分野】
本発明は、下枠の排水構造に関する発明である。
【０００２】
【従来の技術】
従来から、浴室と隣室とを連通する出入口に配設されるドア枠の下枠にあっては、浴室の洗い場に溢れて該下枠上に流れ至ってしまう浴水や、ドアに降りかかって濡れたドアから該下枠上に滴り落ちる浴水や、浴室の出入口を通る濡れた状態の使用者から該下枠上に滴り落ちる浴水などを、適宜排水できるようにした排水構造を備えたものが知られている。この下枠の排水構造にあっては、たとえば図１０のように、下枠１上の浴水を流入させる排水溝２を下枠１に備え、排水溝２内に集水した浴水を建物内の排水管１９などに排水させる排水孔３を上記排水溝２の溝底２ａに配設したものがある（たとえば、特許文献１参照）。
【０００３】
詳しくは、この下枠１はバリアフリーに対応したタイプのもので、下枠１の上面を浴室Ａ及び隣室Ｂの床面とに略面一に連結させるよう配設したものである。そして、この下枠１の隣室側にはドア１３の開閉に合わせて起倒するフラップ１７が設けられ、起立したフラップ１７によって排水溝２の上方の下枠１の上面を越えた浴水を止水し、フラップ１７の下方に設けた集水溝６に上記止水した浴水を流し入れ、集水溝６より下方に設けた排水溝２に上記浴水を流し込み、排水溝２の溝底２ａに設けた排水孔３から建物内に配設した排水管１９に上記浴水を排水できるようにされている。ここでは、排水溝２は集水溝６の浴室側に隣接して配設されると共に集水溝６より溝深く形成されており、排水溝２の上面には浴室出入口の床を形成する溝蓋１６が被さるように配置され、集水溝６は浴室Ａから溝蓋１６上を通って隣室側に流れる浴水を集水する溝である。また、下枠１に設けた集水溝６と排水溝２とはその間に仕切壁７を立設して仕切られており、集水溝６から排水溝２に浴水を流入させるには、上記仕切壁７の長手方向の任意位置に穿孔した貫通孔状の通水孔１８によって行わせている。
【０００４】
【特許文献１】
特開平１１−２５６９４９号公報
【０００５】
【発明が解決しようとする課題】
しかしながら、一般的に下枠１はアルミニウムなどの押出し成形品であって、その長手方向には同断面を形成するものであり、下枠１の長手方向の任意位置に設けた排水孔３に向けて溝底２ａを傾斜させるような下枠１の長手方向の水勾配などは設けることはできなく、そのため排水溝２の溝底２ａは略フラットに形成されている。しかして、この略フラットの排水溝２の溝底２ａには残水が発生し易くなっている。つまり、図１０に示すように、排水溝２に流れ込む浴水は、特にその流量が少ない場合には、フラット面である排水溝２の溝底２ａ上に散らばって水のもつ表面張力により多数の独立した水玉を形成するのであり、この多数の独立した水玉が残水となってしまうのである。特に、独立した水玉は水の粘性によって排水溝２の溝底２ａと溝壁２ｂとのコーナー部分に位置し易く、この部位で残水となり易い。また集水溝６にあっても同様に、集水溝６に流れ込む浴水の流量が少ない場合には集水溝６の溝底６ａで残水が発生し易いものである（なお、図１０のＷは残水を示している）。このように上記下枠１では、排水溝２等で残水を発生し易いものであり、この残水は水垢などの汚れの原因になるとともにカビ発生の原因にもなるから、下枠１を不衛生な状態にしてしまうといった問題があった。
【０００６】
本発明は上記の点に鑑みてなされたものであり、水の誘引作用（粘性）によって浴水を排水孔から効率良く排水させることで、排水溝等での残水の発生を低減できるようにした下枠の排水構造を提供することを課題とするものである。
【０００７】
【課題を解決するための手段】
上記課題を解決するために本発明に係る下枠の排水構造は、隣室Ｂに連通する浴室Ａの出入口に該出入口を開閉するドア１３を装着するドア枠を配設し、このドア枠の下枠１に、下枠１の上面の浴水が流入する排水溝２をその長手方向に沿って設け、排水溝２内に流入した浴水を排水させる排水孔３を排水溝２の溝底２ａに穿孔し、排水溝２の溝底２ａに対して略平行な突片４を、排水溝２の溝壁２ｂにおける溝底２ａ近傍の部位から排水溝２内方に向け且つ排水溝２の長手方向に亙って突設し、この突片４と排水溝２の溝底２ａとの間に形成された隙間にて、排水溝２内に流入した浴水を水の誘引作用によって集水させる排水溝集水部５を構成したことを特徴とする。
【０００８】
これによると、排水溝２内に流入した浴水は排水溝２の溝底２ａ上に散らばるものであるが、水の誘引作用（粘性）によって、該浴水は、突片４と排水溝２の溝底２ａとの間に形成された隙間（排水溝集水部５）に集水されるのであり、そして、排水溝集水部５に集水された浴水は、排水溝集水部５全体に亙るような排水溝２の長手方向に沿った１つの筋状にその外形が形成されるのであり、また水の誘引作用（粘性）によっては、この筋状の浴水の一部が排水孔３に流れ落ちるとそれに引きずられるようにして上記浴水の筋全てが連続して排水孔３に流れ落ちるようにできるのであり、このように排水溝２内から浴水が効率よく排水されるようになるので、排水溝２内での残水発生の低減を図ることができる。
【０００９】
また、排水溝２上方の下枠１の上面を越えた浴水が流入する集水溝６を排水溝２に並設し、集水溝６の溝深さを排水溝２よりも浅く形成すると共に集水溝６の溝底６ａに排水溝２に向って傾斜する水勾配を設け、集水溝６と排水溝２とを仕切る仕切壁７における集水溝６の溝底６ａ近傍の部位から、集水溝６の溝底６ａに対して略平行な突片８を集水溝６内方に向け且つ集水溝６の長手方向に亙って突設し、この突片８と集水溝６の溝底６ａとの間に形成された隙間にて、集水溝６内に流入した浴水を水の誘引作用によって集水させる集水溝集水部９を構成し、この集水溝集水部９と排水溝２とを連通させて集水溝集水部９に集水した浴水を水の誘引作用によって排水溝２内に流れ落す通水部材１０を仕切壁７に装着したことも好ましい。
【００１０】
これによると、集水溝６内に流入した浴水は、集水溝６の溝底６ａ上に散らばるものであるが、集水溝６の溝底６ａに施した水勾配及び水の誘引作用（粘性）によって、該浴水は、突片８と集水溝６の溝底６ａとの間に形成された隙間（集水溝集水部９）に集水され、そして、集水溝集水部９に集水された浴水は、集水溝集水部９全体に亙るような集水溝６の長手方向に沿った１つの筋状にその外形が形成されるのであり、また通水部材１０及び水の誘引作用（粘性）によって、この集水溝集水部９内の筋状の浴水の一部が排水溝２に流れ落ちるとそれに引きずられるようにして上記浴水の筋全てが連続して排水溝２に流れ落ちるようにできるのであり、このように集水溝６内から浴水が通水部材１０を介して排水溝２に効率よく排水されるようになるので、集水溝６内での残水発生の低減を図ることができる。
【００１１】
また、排水孔３に付設したヘアキャッチャー２０に、排水溝集水部５に先端を至らしめた導水用突片１１と、上記導水用突片１１に伝う水を排水孔３に至らせるための切欠口１２とを設けたことも好ましい。
【００１２】
これによると、排水溝集水部５に集水した浴水をヘアキャッチャー２０の導水用突片１１に沿わせて切欠口１２を介して排水孔３に排水できるのであって、つまり、排水溝集水部５と排水孔３との間に距離を設けても排水溝集水部９から排水孔３への排水を確実に行うことができ、排水孔３の配設位置の自由度を向上できる。また、このように排水孔３の配設位置を自由に設定できるので、バリの除去作業が必要とされない溝底２ａの上方からの穴あけ作業によって排水孔３を溝底２ａに穿孔できる位置に、排水孔３の配設位置を設定できることから、排水孔３の穿孔作業にかかる施工性の向上も図ることができる。
【００１３】
【発明の実施の形態】
以下、本発明を添付図面に示す実施形態に基づいて説明する。図２のように、浴室Ａと隣室Ｂとを連通させる出入口には該出入口を開閉するドア１３が備えられている。このドア１３を装着させるのがドア枠であり、たとえば上枠、下枠１、一対の側枠を矩形枠状に組み合わせて形成され、ドア１３を囲むように上記出入口の内縁に沿って配設される。図１は本例のドア枠における下枠１の近傍部位を示している。この下枠１の主体にあっては、従来技術（図９、１０）で示した下枠１と略同様に形成されている。つまり本例の下枠１は、浴室Ａから隣室Ｂに略面一の床面を連続させるといったバリアフリー構造に対応するものであって、下枠１の上面を、浴室Ａ及び隣室Ｂの床面と略同レベルに位置させるように配設させている。この下枠１は、出入口の幅方向に下枠１の長手方向を合わせて配設する長尺部材であり、該長手方向と直交する下枠１の幅方向（浴室Ａと隣室Ｂとを結ぶ方向）に関し、浴室側の部位から、浴室接続部１４、排水溝２、集水溝６、隣室接続部１５が順に並んで形成されている。ここで、出入口に下枠１を配設した際には、排水溝２が出入口を閉めた状態のドア１３の下方位置に位置するようにされる。
【００１４】
また、排水溝２及び集水溝６はそれぞれ下枠１の長手方向に亙って上方に開口した溝であり、排水溝２の溝底２ａが集水溝６の溝底６ａよりも低い位置に形成され、隣接する排水溝２と集水溝６とは仕切壁７によって仕切られている。この仕切壁７は排水溝２の隣室側の溝壁２ｂに連続するように立設された板片状の壁である。そして、浴室接続部１４と仕切壁７との間に架け渡すように溝蓋１６を着脱自在に配置し、この溝蓋１６によって排水溝２の上方開口を塞ぐようにしている。この溝蓋１６には複数の貫通スリット（図示せず）が設けられており、この貫通スリットによって、浴室Ａの洗い場上に溢れて浴室接続部１４の上面を介して溝蓋１６の上面にまで流れ至った浴水や、出入口を閉じたドア１３に降りかかって濡れたドア１３から滴り落ちる浴水や、出入口を通行する濡れた通行人から滴り落ちる浴水など、下枠１の上面に流れ至る浴水を排水溝２に流入させるようになっている。無論、溝蓋１６に特に貫通スリットなるものを設けずに、溝蓋１６と下枠１との間の隙間などから排水溝２内に該下枠１の上面の浴水を流入させるようにしてもよい。
【００１５】
なお、該下枠１の上面に流れ至る浴水のうち、上記貫通スリットや隙間などを介して排水溝２内に流入しなかった浴水（つまり、排水溝２上方の下枠１の上面を越えた浴水）は集水溝６に流入するようになっている。具体的には、集水溝６にはドア１３の開閉に合わせて起倒するフラップ１７が設けられ、起立したフラップ１７によって該浴水を隣室に至る前に止水し、上記止水した浴水が集水溝６に流し込まれるようになっている。詳しくは、フラップ１７は、ドア１３が出入口を閉じたときに起立状態となると共にドア１３が出入口を開けたときには倒れた状態になるようにされている。倒れた状態のフラップ１７は集水溝６の上方開口を塞ぐようにされ、排水溝２の上方開口を塞いだ溝蓋１６の上面、浴室接続部１４及び隣室接続部１５の上面と共に、下枠１の上面を構成し、浴室Ａ及び隣室Ｂの各床面と略同等の高さレベルになるように設定されている。なお、集水溝６の溝底６ａには、隣接する排水溝２に向けて下方に傾斜する水勾配が形成されており、集水溝６内に流入した浴水は排水溝２側に流れるようにされている。そして、上記仕切壁７にはその長手方向の複数の適所に貫通孔状の通水孔１８が穿孔されており、この通水孔１８によって、集水溝６内に流入した浴水が排水溝２内に流入されるようになっている。
【００１６】
上述したように排水溝２には、上記溝蓋１６の貫通スリットまたは溝蓋１６と下枠１との隙間、及び集水溝６から、下枠１の上面の浴水がそれぞれ流入するようになっているが、排水溝２に流入された浴水は、排水溝２の溝底２ａに穿孔された排水孔３から下枠１外（たとえば建物内に配設された排水管１９など）に排水されるようになっている。本例では下枠１は押出し成形によって形成したものを例示しているので、排水溝２の溝底２ａは略フラット面に形成されている。また、排水孔３は排水溝２の溝底２ａにおける下枠１の長手方向及び幅方向の各中央部位に位置して穿孔してある。なお、この排水孔３には、浴水に含まれるゴミや髪の毛などを取り除くために、ヘアキャッチャー２０が着脱自在に装着される。
【００１７】
そして、本発明の主旨であるが、この排水溝２内には、流入した浴水を効率よく排水孔３から排水させることで排水溝２での残水の発生を低減させ得るようにした工夫が施されている。つまり、図４のように、排水溝２には排水溝２内に流入した浴水を水の誘引作用（粘性）によって集水させる排水溝集水部５が設けられており、また、図５のように、ヘアキャッチャー２０は排水溝集水部５に先端を至らしめた導水用突片１１と、上記導水用突片１１に沿って伝う浴水を排水孔３に至らせるための切欠口１２とを設けてあり、排水溝集水部５で集水した浴水を水の誘引作用（粘性）によって排水孔３に効率よく排水できるようにしている。
【００１８】
この排水溝集水部５は、具体的には、排水溝２の溝壁２ｂにおける溝底２ａ近傍部位から排水溝２内方に向けて突設した突片４と排水溝２の溝底２ａとの間の隙間によって構成されている。詳しくは、上記突片４は、排水溝２の長手方向に亙ると共に、排水溝２の溝底２ａに対して略平行に排水溝２の溝壁２ｂから突設されている。また、排水溝集水部５となる突片４と排水溝２の溝底２ａとの隙間は、突片４の下面及び溝底２ａの上面の両面に浴水を接触させ得る程の隙間寸法（高さ寸法）に設定されている。
【００１９】
また、ヘアキャッチャー２０は、上方に凸のかまぼこ形状で網状のヘアキャッチ部２０ａと、該ヘアキャッチ部２０ａの周縁に亙って水平外方へ延出したフランジ部２０ｂとで主体が構成され、上記フランジ部２０ｂを排水溝２の溝底２ａ上における排水孔３の縁部分に載置することで排水孔３に装着される。ここで、上記切欠口１２は、ヘアキャッチャー２０を排水孔３に装着したときヘアキャッチ部２０ａの内外を連通させる（排水溝２内と排水孔３とを連通させる）ように、フランジ部２０ｂの一部を切り欠いて形成した貫通孔であり、また、導水用突片１１は、切欠口１２の直上部分におけるヘアキャッチ部２０ａの部位から排水溝２の溝底２ａに略平行に突出し、その突出先端部位を排水溝集水部５（突片４と排水溝２の溝底２ａとの隙間内）に入り込むように至らせた板片である。
【００２０】
排水溝２内に流入した浴水は排水溝２の溝底２ａ上に散らばるものであるが、このように排水溝２に排水溝集水部５を設けたことで、排水溝２内に流入した浴水は水が有する誘引作用（粘性）によって排水溝集水部５に集水されるようになる。なお、排水溝集水部５に集水された浴水は、排水溝集水部５に亙って排水溝２の長手方向に沿った１つの浴水の筋を形成する。そして、排水溝集水部５には導水用突片１１の先端が至るようにされているので、上記排水溝集水部５に集水された浴水は導水用突片１１を伝い、切欠口１２を通って排水孔３に排水されるようになっている。詳しくは、導水用突片１１は排水溝集水部５の一部の位置にその先端を挿入させているものであるから、導水用突片１１を伝うのは排水溝集水部５に形成された浴水の筋の一部であるが、水は誘引作用（粘性）を有するものであるから、浴水の筋の一部が排水孔３に流れ落ちるとそれに引きずられるようにして上記浴水の筋全てが連続して排水孔３に流れ落ちるようになるのである。しかして、排水溝２内に流入した浴水は、水が有する誘引作用（粘性）によって、排水溝集水部５に集水されると共に導水用突片１１及び切欠口１２を介して排水孔３に排水される、といった一筋の水の流れを形成するものであり、したがって排水溝２内から浴水が効率よく排水され、排水溝２内での残水発生の低減化が図られているのである。
【００２１】
また、集水溝６でも浴水の残水を無くする工夫が為されている。つまり、仕切壁７の集水溝６の溝底６ａ近傍の部位から集水溝６内方に向けて突設した突片８と集水溝６の溝底６ａとの間に隙間を形成し、この隙間にて集水溝６内に流入した浴水を水の誘引作用によって集水させる集水溝集水部９を構成させ、仕切壁７の通水孔１８には、図７のように、集水溝集水部９と排水溝２とを連通させて集水溝集水部９に集水した浴水を、水の誘引作用によって排水溝２内に流れ落す通水部材１０を装着したものである。
【００２２】
詳しくは、上記突片８は、集水溝６の長手方向に亙ると共に、集水溝６の溝底６ａに対して略平行に仕切壁７から突設されている。また、集水溝集水部９となる突片８と集水溝６の溝底６ａとの隙間は、突片８の下面及び溝底２ａの上面の両面に浴水を接触させ得る程の隙間寸法（高さ寸法）に設定されている。この集水溝集水部９も、上記排水溝集水部５と同様に、水の有する誘引作用（粘性）を利用して浴水を集水させる部位である。よって、集水溝６に流入した浴水は、集水溝６の溝底６ａに施された水勾配に沿って排水溝２側（仕切壁７側）に流れ、仕切壁７に設けた集水溝集水部９に集水されるのである。なお、集水溝集水部９に集水した浴水は、集水溝集水部９に亙って集水溝６の長手方向に沿った１つの浴水の筋を形成する。
【００２３】
また、通水部材１０は、図６のように、通水孔１８に浴室側から挿通させる水平部１０ａと、該排水溝２の溝壁２ｂに沿わせる垂直部１０ｂとで構成されるＬ字状のブロック体である。詳しくは、垂直部１０ｂは水平部１０ａの浴室側端部から垂下されて形成され、その幅寸法Ｈ１は通水孔１８の幅寸法ｈ１と略同寸法にしてあり、垂直部１０ｂの下面から水平部１０ａの上面までの高さ寸法Ｈ２は排水溝２の溝壁２ｂから突出した突片４の上面から通水孔１８の上縁までの高さ寸法ｈ２と略同寸法にしてある。しかして、通水孔１８に通水部材１０を装着するには、通水部材１０の垂直部１０ｂを排水溝２の突片４の上に載置し、水平部１０ａを浴室側から通水孔１８に挿入することで行われる。また、水平部１０ａの高さ寸法Ｈ３は、通水孔１８の孔高さ寸法ｈ３から集水溝集水部９の隙間寸法（高さ寸法）ｈ４を引いた寸法と略同寸法に設定されている。しかして、通水孔１８に通水部材１０を装着した際には、水平部１０ａの下面と集水溝６の溝底６ａとの間には集水溝集水部９と連通する隙間状の横通水路２１が形成される。なお、この隙間状の横通水路２１の高さ寸法Ｈ４は集水溝集水部９の隙間寸法ｈ４と略同寸法に形成される。また、通水部材１０の幅方向の一端面には、水平部１０ａと垂直部１０ｂとのコーナー部内側に亙るように、上記横通水路２１と連通した縦通水路２２が凹設されている。しかして、通水孔１８に通水部材１０を装着した際には、連通する横通水路２１と縦通水路２２とを通って、集水溝集水部９に集水した浴水が排水溝２内に流れ落されるようになっている（矢印ａ）。
【００２４】
上述したように横通水路２１は集水溝集水部９と略同寸法の隙間であるから、集水溝集水部９に集水した一筋の浴水は、水が有する誘引作用（粘性）によって、横通水路２１内にも連続して形成されるようになる。そして、横通水路２１に連通した縦通水路２２から上記浴水は排水溝２内に流れ落されるのであるが、厳密には、浴水の筋の一部が排水溝２に流れ落されるのであるが、水は誘引作用（粘性）を有するものであるから、浴水の筋の一部が排水孔３に流れ落ちるとそれに引きずられるようにして上記浴水の筋全てが連続して排水溝２内に流れ落ちるようになるのである。しかして、集水溝６内に流入した浴水は、集水溝６の溝底６ａの水勾配に加えて水が有する誘引作用（粘性）によって、集水溝集水部９に集水され、通水部材１０の横通水路２１、縦通水路２２を介して排水溝２に流れ落される、といった一筋の水の流れを形成するものであり、したがって集水溝６から浴水が効率よく排水され、集水溝６内での残水発生の低減化が図られているのである。
【００２５】
上述したように本例の下枠１では、下枠１の上面に流れ至ったり降りかかった浴水を集水溝６、排水溝２を介して連続して効率よく排水させることで、集水溝６及び排水溝２内では残水発生の防止が図られており、集水溝６及び排水溝２内の残水による汚れやカビ等の発生を低減できて良好な衛生状態の確保が図られている。また、この良好な衛生状態を図るのに、突片４，８を設けたりする簡単な構成で行い得ることも利点として挙げられる。なお、本例では下枠１は押出し成形品を想定して説明したが、たとえば下枠１は射出成形品で構成してもよく、このような場合、排水溝２の溝底２ａに下枠１の長手方向における排水孔３に向う水勾配を形成させるのも好ましく、これによると浴水にかかる重力も相乗させて浴水を更に効率よく排水させることができるのである。
【００２６】
また、図８，９には本発明の実施の形態の他例を示す。先の実施の形態の例と同様部位には同符合を付して説明を省き、異なる部位につき説明をする。つまり、この例は、排水溝２の溝底２ａにおける突片４の下方の部位に排水孔３の縁部が位置するように、排水孔３を排水溝２の溝底２ａに設け、この排水孔３に装着したヘアキャッチャー２０の縁部が排水溝集水部５内に位置するようにした例である。これによると、ヘアキャッチャー２０に導水用突片１１を設けないでも、排水溝集水部５に集水された浴水を切欠孔１２を通過させて排水孔３に排水させることができるのであり、導水用突片１１を設けない分、ヘアキャッチャー２０の構成を先の実施の形態の例のものに比べて簡易にできたものである。
【００２７】
なお、この例にあっては、排水溝２の溝底２ａに排水孔３を穿孔するには、突片４の下方位置に排水孔３を臨ませることから、突片４を避けるよう下枠１の下方からの穴あけ作業となる。しかして、場合によってはこの穴あけ作業によってバリが溝底２ａの表面に生じてしまうこともあり、溝底２ａの表面に生じたバリは排水溝２内での浴水の排水に悪影響を与えてしまうこともあるから、このバリの除去作業を穴あけ作業の後に行わねばならないことがある。しかしながら、導水用突片１１を備えたヘアキャッチャー２０を用いる先の実施の形態の例（図１〜７）にあっては、排水孔３の穿孔位置は突片４の下方位置に設ける必要はないため、排水溝２の溝底２ａに排水孔３を穿孔するには、下枠１の上方からの穴あけ作業にて行わせることができる。したがって、上記穴あけ作業にてバリが形成されようとも、このバリは排水溝２内での浴水の排水に悪影響を与えることのない溝底２ａの下面に生じることとなるため、穴あけ作業の後にバリ除去作業を行う必要のないものである。このように、先の実施の形態の例にあっては、排水孔３の穿孔作業にバリの除去作業を伴うことがなく、したがって排水孔３の穿孔加工にかかる施工性を良好にできるといった利点がある。更に言えば、先の実施の形態の例にあっては、導水用突片１１を伝わせて浴水を排水孔３に排水させるので、つまり、排水溝集水部５と排水孔３との間に距離を設けても排水溝集水部５から排水孔３への排水を確実に行わせることが可能なものであり、したがって、排水孔３の穿孔位置を排水溝２の溝底２ａの任意位置に設定できるといった利点も有しているのである。
【００２８】
【発明の効果】
上記のように本発明の請求項１記載の発明にあっては、排水溝の溝底に対して略平行な突片を、排水溝の溝壁における溝底近傍の部位から排水溝内方に向け且つ排水溝の長手方向に亙って突設し、この突片と排水溝の溝底との間に形成された隙間にて、排水溝内に流入した浴水を水の誘引作用によって集水させる排水溝集水部を構成したので、排水溝内に流入した浴水は、水が有する誘引作用（粘性）によって、突片と排水溝の溝底との間に形成された隙間（排水溝集水部）に集水され、排水溝の長手方向に亙る筋状の塊に該浴水の外形が形成されるのであり、また水が有する誘引作用（粘性）によっては、この筋状の浴水の一部が排水孔に流れ落ちるとそれに引きずられるようにして上記浴水の筋全てが連続して排水孔に流れ落ちるようにできるから、排水溝内から浴水が効率よく排水されるようになる。したがって、排水溝内での残水発生、ひいては残水による汚れやカビ等の発生を低減でき、下枠の良好な衛生状態の確保を図ることができる。
【００２９】
また、請求項２記載の発明にあっては、請求項１の効果に加え、集水溝の溝深さを排水溝よりも浅く形成すると共に集水溝の溝底に排水溝に向って傾斜する水勾配を設け、集水溝と排水溝とを仕切る仕切壁における集水溝の溝底近傍の部位から、集水溝の溝底に対して略平行な突片を集水溝内方に向け且つ集水溝の長手方向に亙って突設し、この突片と集水溝の溝底との間に形成された隙間にて、集水溝内に流入した浴水を水の誘引作用によって集水させる集水溝集水部を構成し、この集水溝集水部と排水溝とを連通させて集水溝集水部に集水した浴水を水の誘引作用によって排水溝内に流れ落す通水部材を仕切壁に装着したので、集水溝内に流入した浴水は、集水溝の溝底の水勾配及び水の誘引作用（粘性）によって、突片と集水溝の溝底との間に形成された隙間（集水溝集水部）に集水され、集水溝の長手方向に亙る筋状の塊に該浴水の外形が形成されるのであり、また通水部材及び水の誘引作用（粘性）によっては、この集水溝集水部内の筋状の浴水の一部が排水溝に流れ落ちるとそれに引きずられるようにして上記浴水の筋全てが連続して排水溝に流れ落ちるようにできるから、集水溝内から浴水が通水部材を介して排水溝に効率よく排水されるようになる。したがって、集水溝内での残水発生、ひいては残水による汚れやカビ等の発生を低減でき、下枠の良好な衛生状態の確保を図ることができる。
【００３０】
また、請求項３記載の発明にあっては、請求項１の効果に加え、排水孔に付設したヘアーキャッチャーに、排水溝集水部に先端を至らしめた導水用突片と、上記導水用突片に伝う水を排水孔に至らせるための切欠口とを設けたので、排水溝集水部に集水した浴水をヘアキャッチャーの導水用突片に沿わせて切欠口を介して排水孔に排水できるのであって、つまり、排水溝集水部と排水孔との間に距離を設けても排水溝集水部から排水孔への排水を確実に行うことができ、排水孔の配設位置の自由度を向上できる。また、このように排水孔の配設位置を自由に設定できるので、バリの除去作業が必要とされない溝底の上方からの穴あけ作業によって排水孔を下枠に穿孔できる位置に、排水孔の配設位置を設定できることから、排水孔の穿孔作業にかかる施工性の向上も図ることができる。
【図面の簡単な説明】
【図１】本発明の実施の形態の例における下枠の側面断面図である。
【図２】同上の出入口の下枠部分の側面断面図である。
【図３】同上の出入口全体の側面図である。
【図４】同上の排水溝部分の斜視図である。
【図５】同上のヘアキャッチャーの斜視図である。
【図６】同上の通水部材を示す斜視図である。
【図７】同上の通水部材の装着部分の断面斜視図である。
【図８】本発明の実施の形態の他例における下枠の側面断面図である。
【図９】同上の排水溝部分の斜視図である。
【図１０】従来技術の例の出入口の下枠部分の側面断面図である。
【図１１】従来技術の例の問題を説明する下枠の側面断面図である。
【符号の説明】
１  下枠
２  排水溝
２ａ  溝底
３  排水孔
４  突片
５  排水溝集水部
６  集水溝
７  仕切壁
８  突片
９  集水溝集水部
１０  通水部材
１１  導水用突片
１２  切欠口
１３  ドア
【図１】
2004293124.tif 000003
【図２】
2004293124.tif 000004
【図３】
2004293124.tif 000005
【図４】
2004293124.tif 000006
【図５】
2004293124.tif 000007
【図６】
2004293124.tif 000008
【図７】
2004293124.tif 000009
【図８】
2004293124.tif 000010
【図９】
2004293124.tif 000011
【図１０】
2004293124.tif 000012
【図１１】
2004293124.tif 000013